(57)【要約】【課題】搬送抵抗の増加を抑えながら読み取り画像のずれを低減する。【解決手段】実施形態のシート搬送ガイドは、第１のガイド及び第２のガイドを含む。第１のガイドは、画像を読み取る読取部に対応する主走査方向に直交する副走査方向に搬送されるシートをガイドする。第２のガイドは、前記第１のガイドに対向して前記シートの搬送をガイドする。実施形態のシート搬送ガイドは、前記第１及び第２のガイドの間の前記主走査方向の両端部における対向距離が、前記主走査方向の中央部における対向距離より狭い。【選択図】図３
2018127354.tif 000002
【特許請求の範囲】
【請求項１】
画像を読み取る読取部に対応する主走査方向に直交する副走査方向に搬送されるシートをガイドする第１のガイドと、
前記第１のガイドに対向して前記シートの搬送をガイドする第２のガイドと、を備え、
前記第１及び第２のガイドの間の前記主走査方向の両端部における対向距離が、前記主走査方向の中央部における対向距離より狭いシート搬送ガイド。
【請求項２】
前記第１のガイドは、前記第２のガイドの対向側において、前記主走査方向の両端部に凸部を備える、請求項１に記載のシート搬送ガイド。
【請求項３】
前記第１のガイドは、前記第２のガイドの対向側において、前記主走査方向の両端部から前記主走査方向の中央部にかけて傾斜する、請求項１又は請求項２に記載のシート搬送ガイド。
【請求項４】
前記第１及び第２のガイドは、前記読取部の読み取り面に向けて前記シートの搬送をガイドする、請求項１乃至請求項３のいずれか１項に記載のシート搬送ガイド。
【請求項５】
前記第１及び第２のガイドは、上流から下流の前記読取部の読み取り面に向けて前記シートの搬送をガイドする、請求項１乃至請求項４のいずれか１項に記載のシート搬送ガイド。
【発明の詳細な説明】
【技術分野】
【０００１】
本発明の実施形態は、シート搬送ガイドに関する。
【背景技術】
【０００２】
原稿を搬送しながら当該原稿から画像を読み取る原稿読取装置がある。
このような原稿読取装置では、原稿の浮きに起因する読み取り画像のずれが問題となる場合がある。
【先行技術文献】
【特許文献】
【０００３】
【特許文献１】特開２０００−２６４４９３号公報
【発明の概要】
【発明が解決しようとする課題】
【０００４】
以上のような問題を解決するために、原稿が読み取りガラスから離れにくくする目的で搬送ガイドと読み取りガラスとの間の距離を狭くすることが考えられる。しかしながら、当該距離を狭くした場合、搬送抵抗が増加する。そして、搬送抵抗が大きいほど、原稿を搬送するために必要な力が増加することとなる。すなわち、原稿を搬送するために必要なモータートルクが増加する。
【０００５】
本発明の実施形態が解決しようとする課題は、搬送抵抗の増加を抑えながら読み取り画像のずれを低減するシート搬送ガイドを提供する。
【課題を解決するための手段】
【０００６】
実施形態のシート搬送ガイドは、第１のガイド及び第２のガイドを含む。第１のガイドは、画像を読み取る読取部に対応する主走査方向に直交する副走査方向に搬送されるシートをガイドする。第２のガイドは、前記第１のガイドに対向して前記シートの搬送をガイドする。実施形態のシート搬送ガイドは、前記第１及び第２のガイドの間の前記主走査方向の両端部における対向距離が、前記主走査方向の中央部における対向距離より狭い。
【図面の簡単な説明】
【０００７】
【図１】実施形態に係る画像読取システムの内部構造を示す模式図。
【図２】第１実施形態に係る裏面搬送ガイド及びその周辺を示す側面模式図。
【図３】第１実施形態に係る裏面搬送ガイドを示す斜視図。
【図４】第１実施形態に係る裏面搬送ガイドの断面模式図。
【図５】第１実施形態に係る表面搬送ガイド及びその周辺を示す側面模式図。
【図６】第１実施形態に係る表面搬送ガイドの断面模式図。
【図７】第２実施形態に係る裏面搬送ガイドを示す斜視図。
【図８】第２実施形態に係る裏面搬送ガイドの断面模式図。
【図９】第３実施形態に係る裏面搬送ガイドを示す斜視図。
【図１０】第３実施形態に係る裏面搬送ガイドの断面模式図。
【図１１】実施形態の変形例に係る裏面搬送ガイドの断面模式図。
【図１２】実施形態の変形例に係る裏面搬送ガイド及びその周辺を示す側面模式図。
【図１３】実施形態の変形例に係る裏面搬送ガイド及びその周辺を示す側面模式図。
【図１４】実施形態の変形例に係る裏面搬送ガイド及びその周辺を示す側面模式図。
【図１５】従来の原稿読取装置の一例を示す断面模式図。
【図１６】原稿に浮きが発生した場合の読取画像のずれを説明するための図。
【図１７】従来の原稿読取装置におけるレンズ、ＣＣＤセンサー及び原稿物体面の一例を示す図。
【発明を実施するための形態】
【０００８】
図１５は、従来の原稿読取装置の原稿読み取り部分の一例を示す断面模式図である。搬送ガイドＲ１と読み取りガラスＲ２との間を原稿Ｒ３が、搬送方向Ｒ４、すなわちここでは紙面手前から紙面奥へ向かう方向に搬送されるものとする。そして、搬送される原稿Ｒ３上面の画像がレンズＲ５を介して読み取られるものとする。原稿Ｒ３は、読み取りガラスＲ２に接した状態で画像が読み取られることが好ましい。しかしながら、図１５に示すように原稿Ｒ３が読み取りガラスＲ２から離れた位置にある場合、読み取られる画像は、正しい位置からずれることとなる。
レンズＲ５を通る直線Ｒ６は、読み取りガラスＲ２上の点ｐ１及び原稿Ｒ３上の点ｐ２を通る。このことからわかるように、レンズＲ５から見れば、原稿Ｒ３上の点ｐ２は、読み取りガラスＲ２上の点ｐ１にあるように見える。しかしながら、原稿Ｒ３が、読み取りガラスＲ２に接している状態では、点ｐ２は点ｐ３の位置にあるはずである。このため、読み取り画像が主走査方向内側にｄｆ１だけずれることとなる。なお、主走査方向とは、ここでは直線ｐ１ｐ３に平行な方向である。同様に、原稿Ｒ３の外側端部では、読み取り画像は主走査方向内側にｄｆ２だけずれることとなる。そして、ｄｆ２はｄｆ１よりも大きい。なお、直線Ｒ８が読み取りガラスＲ２の中央と原稿Ｒ３の中央とを通ることからも分かるように、中央部においては、原稿Ｒ３の浮きを原因とする読み取り画像のずれはほぼ起こらない。このように、原稿Ｒ３の浮きを原因とする読み取り画像のずれは、原稿Ｒ３の外側ほど大きくなり、中央では当該ずれはほぼ０となる。
【０００９】
図１６は、原稿に浮きが発生した場合の読み取り画像のずれを説明するための図である。読み取り対象の原稿Ｒ３の表面には、搬送方向Ｒ４に平行な５本の縦線が描かれているものとする。原稿Ｒ３は、最初読み取りガラスＲ２に接した状態で読み取りが行われ、その後一次的に読み取りガラスＲ２から離れた状態で読取が行われた後、再度読み取りガラスＲ２に接した状態で読取が行われたものとする。読み取り画像Ｒ１１は、以上のような状況で原稿Ｒ３から読み取られた画像を想定して示したものである。区間Ａ及び区間Ｃは、読み取りガラスＲ２に接していた間に読み取られたものである。そして、区間Ｂは、原稿Ｒ３が読み取りガラスＲ２から離れていたときに読み取られたものである。区間Ａ及び区間Ｃでは、原稿Ｒ３の画像が正しく読み取られると考えられるので鉛直な５本の直線が現れる。これに対して区間Ｂでは、直線が内側にずれることとなる。すなわち、原稿Ｒ３に浮きが発生すると読み取り画像が内側に縮むことになる。
【００１０】
以下に示す一実施形態を想定してずれの大きさを計算した。
図１７は、一実施形態におけるレンズＲ５、ＣＣＤセンサー像面Ｒ２１及び原稿物体面Ｒ２２を示す図である。前側光路長ａは３９４．１９ｍｍ、後側光路長は４３．７８ｍｍとした。したがって、倍率ｂ／ａは０．１１１０６３倍である。また、原稿物体面Ｒ２２の幅を２９７ｍｍとした。２９７ｍｍは、Ａ４長辺あるいはＡ３短辺の長さに相当する。以上の場合において、原稿が１ｍｍ浮いた場合を想定して主走査方向の幅ごとの縮み量ｄｆ［ｍｍ］を計算すると表１のようになった。なお、主走査方向の幅は、原稿中央からの距離に等しい。例えば、幅２９７ｍｍの原稿の端は、主走査方向の幅１４８．５ｍｍに相当する。したがって、主走査方向の幅１５０ｍｍとは、原稿よりも外側を示す。つまり、主走査方向の幅１５０ｍｍについての縮み量は、参考として算出したものである。
【００１１】
【表１】
2018127354.tif 000003
【００１２】
表１によれば、原稿の外側ほど縮み量が大きくなることが確認できる。
【００１３】
以下、いくつかの実施形態に係る画像読取システムについて図面を用いて説明する。なお、本明細書中の各図面は、各部材を認識しやすい大きさとするために、各部材の縮尺を適宜変更している場合がある。
【００１４】
〔第１実施形態〕
図１は、第１実施形態に係る画像読取システム１の内部構造を示す模式図である。
画像読取システム１は、原稿トレイ１７に載せられた原稿を筐体１９内に導入する。そして、画像読取システム１は、筐体１９内に導入した原稿を搬送しながら２つの光学ユニットそれぞれに原稿の表面又は裏面の片面ずつを順次読み取らせることで、原稿の両面から画像を読み取ることができる。あるいは、画像読取システム１は、２つの光学ユニットのいずれか一方に原稿の表面又は裏面の画像を読み取らせることで、原稿の片面から画像を読み取ることもできる。なお、原稿は、例えば紙などのシート状の部材である。また、原稿は、原稿トレイ１７に載せられた状態で、原稿トレイ１７から遠い側の面、すなわち上側の面を表面、原稿トレイ１７から近い側の面、すなわち下側の面を裏面とする。画像読取システム１は、原稿搬送装置１０及び画像読取装置２０を含む。画像読取システム１は、原稿読取装置の一例である。
原稿搬送装置１０は、原稿トレイ１７に載せられた原稿を筐体１９内に導入し、また、当該原稿を搬送する。さらに、原稿搬送装置１０は、原稿の裏面から画像を読み取る。原稿搬送装置１０は、例えばＡＤＦ（auto document feeder）である。原稿搬送装置１０は、裏面光学ユニット１１、裏面読取ガラス１２、裏面搬送ガイド１３、表面搬送ガイド１４、上流側上部ガイド１５、下流側上部ガイド１６、原稿トレイ１７及び排紙トレイ１８及び筐体１９を含む。
【００１５】
裏面光学ユニット１１は、原稿の裏面から画像を読み取るために撮像素子及びレンズを備える。撮像素子は、例えばＣＣＤ（charge-coupled device）イメージセンサー又はＣＭＯＳ（complementary metal-oxide-semiconductor）イメージセンサーなどである。撮像素子は、一例としてラインセンサを形成する。このとき、撮像素子が整列している方向を主走査方向と呼ぶ。また、画像を読み取る読み取り面上で、主査走査方向に垂直な方向を副走査方向と呼ぶ。原稿は、副走査方向に搬送される。裏面光学ユニット１１は、原稿から画像を読み取る読取部の一例である。
【００１６】
裏面読取ガラス１２は、透明の部材である。裏面読取ガラス１２の下側は、原稿が画像を読み取られる場所である。裏面光学ユニット１１は、裏面読取ガラス１２を介して、裏面読取ガラス１２の表面上を通過した原稿の裏面から画像を読み取る。なお、原稿搬送装置１０は、裏面読取ガラス１２に変えて、透明な樹脂又は化合物などが設けられていて良い。裏面読取ガラス１２の下側の面は、読み取り面の一例である。また、当該読み取り面は、第２の仮想平面の一例に含まれる。
【００１７】
裏面搬送ガイド１３は、原稿の搬送をガイドして、原稿を裏面読取ガラス１２に接するように導くために設けられる。裏面搬送ガイド１３の詳細は後述する。
裏面搬送ガイド１３は、第１のガイドの一例である。また、裏面搬送ガイド１３は、第３のガイドの一例である。
【００１８】
表面搬送ガイド１４は、原稿の搬送をガイドして、原稿を表面読取ガラス２２に接するように導くために設けられる。表面搬送ガイド１４の詳細は後述する。
【００１９】
上流側上部ガイド１５は、原稿の搬送をガイドして、原稿を裏面読取ガラス１２上に導くために設けられる。上流側上部ガイド１５は、裏面読取ガラス１２とθ１の角度を成す。上流側上部ガイド１５は、裏面搬送ガイド１３に対向する。裏面搬送ガイド１３と上流側上部ガイド１５とにより、原稿が搬送される搬送路が形成される。当該搬送路は、裏面読取ガラス１２に対して斜め向きであり、裏面読取ガラス１２とθ１の角度を成す。当該搬送路は、第１の仮想平面の一例を含む。
上流側上部ガイド１５は、第２のガイドの一例である。
【００２０】
下流側上部ガイド１６は、原稿の搬送をガイドして、裏面読取ガラス１２上を通過した原稿を次の搬送先へ導くために設けられる。下流側上部ガイド１６は、裏面読取ガラス１２とθ２の角度を成す。下流側上部ガイド１６は、裏面搬送ガイド１３に対向する。裏面搬送ガイド１３と下流側上部ガイド１６とにより、原稿が搬送される搬送路が形成される。当該搬送路は、裏面読取ガラス１２に対して斜め向きであり、裏面読取ガラス１２とθ２の角度を成す。下流側上部ガイド１６は、第４のガイドの一例である。
【００２１】
原稿トレイ１７は、画像読取システム１に読み取らせたい原稿を載せる台である。画像読取システム１の操作者は、読み取らせたい原稿を原稿トレイ１７に載せる。なお、操作者は、原稿トレイ１７上に複数の原稿を重ねて載せても良い。原稿搬送装置１０は、原稿トレイ１７上に載せられた原稿を１枚ずつ筐体１９内に導入する。筐体１９内への導入は、図示しないローラーなどによって行われる。
【００２２】
排紙トレイ１８は、画像読取システム１によって画像を読み取られ、原稿搬送装置１０の筐体１９内から排出された原稿が載せられる台である。
【００２３】
画像読取装置２０は、原稿の表面から画像を読み取る。画像読取装置２０は、表面光学ユニット２１及び表面読取ガラス２２を含む。
【００２４】
表面光学ユニット２１は、原稿の表面から画像を読み取るために撮像素子及びレンズを備える。撮像素子は、例えばＣＣＤイメージセンサー又はＣＭＯＳイメージセンサーなどである。撮像素子は、一例としてラインセンサを形成する。このとき、撮像素子が整列している方向を主走査方向と呼ぶ。また、画像を読み取る読み取り面上で、主査走査方向に垂直な方向を副走査方向と呼ぶ。原稿は、副走査方向に搬送される。表面光学ユニット２１は、原稿から画像を読み取る読取部の一例である。
【００２５】
表面読取ガラス２２は、透明の部材である。裏面読取ガラス１２の上側は、原稿が画像を読み取られる場所である。表面光学ユニット２１は、表面読取ガラス２２を介して、表面読取ガラス２２の表面上を通過した原稿の表面から画像を読み取る。なお、画像読取装置２０は、表面読取ガラス２２に代えて、透明な樹脂又は化合物などが設けられていても良い。表面読取ガラス２２の上側の面は、読み取り面の一例である。
【００２６】
なお、搬送ルートＳは、原稿が搬送されるルートの一例を示したものである。原稿は、裏面搬送ガイド１３、表面搬送ガイド１４、上流側上部ガイド１５、下流側上部ガイド１６及び図示しないガイド及びローラーなどによって導かれることで搬送ルートＳを通る。
【００２７】
以下、裏面搬送ガイド１３について図２〜図４を用いてより詳しく説明する。
図２は、裏面搬送ガイド１３及びその周辺を示す側面模式図である。ただし図２は、図１を裏面読取ガラス１２が水平となるように回転させたものの一部を示した図である。図３は、裏面搬送ガイド１３を示す斜視図である。図４は、裏面搬送ガイド１３及びその周辺を示すα―α断面模式図である。
図２〜図４に示すように、裏面搬送ガイド１３は、上流側ガイド１３１、裏面凸部１３２−１、裏面凸部１３２−２、下流側ガイド１３３及びシェーディングローラー１３４を含む。
【００２８】
上流側ガイド１３１は、原稿の搬送をガイドして、原稿を裏面読取ガラス１２上に導くために設けられる。上流側ガイド１３１は、上流側上部ガイド１５に平行な斜面Ｘを有する。なお、裏面搬送ガイドの説明において、斜面Ｘに平行で搬送方向に垂直な方向を主走査方向とする。なお、搬送方向は、副走査方向に一致する。上流側ガイド１３１は、主走査方向に幅Ｗ１の長さを持つ。幅Ｗ１は、一例として２９７ｍｍである。２９７ｍｍは、Ａ３短辺又はＡ４長辺の長さに相当する。したがって、幅Ｗ１が２９７ｍｍ以上であれば、Ａ３までの原稿が搬送路を通過することができる。幅Ｗ１は、対応させたい原稿のサイズに応じた値でよく、２９７ｍｍには限らない。また、原稿のサイズに対してマージンを持たせても良い。上流側ガイド１３１と上流側上部ガイド１５との対向距離はｄ２である。
【００２９】
裏面凸部１３２−１及び裏面凸部１３２−２は、裏面搬送ガイド１３と上流側上部ガイド１５とによって形成される搬送路の間隔が、主走査方向で内側よりも外側の方が狭くなるようにするために設けられる。なお、裏面搬送ガイド１３のうち、斜面Ｘよりも上流側上部ガイド１５に近い部分を裏面凸部と称するものとする。裏面凸部１３２−１及び裏面凸部１３２−２は、一例として以下のような形状を有する。
【００３０】
裏面凸部１３２−１及び裏面凸部１３２−２は、傾斜部１３５−１及び平坦部１３６−１、又は傾斜部１３５−２及び平坦部１３６−２を含む。傾斜部１３５−１及び傾斜部１３５−２は、原稿搬送方向の上流側から下流方向に進むにつれ上流側上部ガイド１５と傾斜部１３５−１又は傾斜部１３５−２との対向距離が一定の割合で短くなるように形成されている。すなわち、傾斜部１３５−１及び傾斜部１３５−２は、図２に示すように側面から見ると、斜面Ｘに対して傾斜を持つ直線となるように形成されている。また、傾斜部１３５−１及び傾斜部１３５−２は、主走査方向では、上流側上部ガイド１５と傾斜部１３５−１又は傾斜部１３５−２との対向距離が変わらないように形成されている。傾斜部１３５−１及び傾斜部１３５−２は、図３に示すように斜面Ｘ方向にＬ１の長さを持つ。
平坦部１３６−１は、傾斜部１３５−１の原稿搬送方向下流側にある。平坦部１３６−２は、傾斜部１３５−２の原稿搬送方向下流側にある。平坦部１３６−１及び平坦部１３６−２は、原稿搬送方向でも主走査方向でも、上流側上部ガイド１５と平坦部１３６−１又は平坦部１３６との対向距離が変わらないように形成されている。平坦部１３６−１及び平坦部１３６−２は、図３に示すように斜面Ｘ方向にＬ２の長さを持つ。平坦部１３６−１及び平坦部１３６−２は、斜面Ｘからｈ１の高さを持つ。平坦部１３６−１又は平坦部１３６−２と上流側上部ガイド１５との対向距離はｄ３である。ｄ３は、ｄ２よりもｈ１小さな値である。ｄ３は、０．２５ｍｍ以上であることが好ましい。ｄ３が０．２５ｍｍ以上であれば、２０９ｇ／ｍ２までの厚紙などの、厚さ０．２５ｍｍまでの紙が通過可能である。
【００３１】
裏面凸部１３２−１は、主走査方向に幅ｗ１の長さを持つ。裏面凸部１３２−２は、主走査方向に幅ｗ２の長さを持つ。裏面凸部１３２−１と裏面凸部１３２−２との間隔はｄ１である。ｄ１は、１８２ｍｍ以下であることが好ましい。したがって、Ｗ１が２９７ｍｍであればｗ１及びｗ２は、５７．５ｍｍ以上であることが好ましい。１８２ｍｍは、Ｂ５短辺の長さに相当する。つまり、ｄ１が１８２ｍｍ以下であれば、縦向きのＢ５原稿が裏面凸部１３２−１及び裏面凸部１３２−２上に載ることが可能となる。一般的にＢ５原稿よりもＡ４原稿の方が、使用頻度が高いと考えられる。また、より大きな原稿の方が、縮み量ｄｆが大きくなりやすい。さらに、裏面凸部の幅が広くなれば搬送抵抗が大きくなる。したがって、縦向きＢ５原稿には対応せずに縦向きＡ４原稿に対応する方が搬送抵抗の増大を抑えながら読取画像のずれの発生を効果的に防止できると考えられる。したがって、ｄ１は、２１０ｍｍ以下であることがより好ましい。すなわち、Ｗ１が２９７ｍｍであればｗ１及びｗ２は、４３．５ｍｍ以上であることがより好ましい。２１０ｍｍは、Ａ４短辺の長さに相当する。つまり、ｄ１が２１０ｍｍ以下であれば、縦向きのＡ４原稿が裏面凸部１３２−１及び裏面凸部１３２−２上に載ることが可能となる。なお、裏面凸部の幅が広くなれば搬送抵抗が大きくなるので、搬送抵抗の観点からは裏面凸部の幅は狭い方が良い。したがって、ｄ１は、１８２ｍｍ以上２１０ｍｍ以下であることが好ましい。また、Ｗ１が２９７ｍｍであれば、ｗ１及びｗ２は、４３．５ｍｍ以上５６．５ｍｍ以下であることが好ましい。
【００３２】
裏面凸部１３２−１及び裏面凸部１３２−２は、上流側上部ガイド１５と一体であることが好ましい。裏面凸部１３２−１及び裏面凸部１３２−２と上流側上部ガイド１５とを別部材とするよりも一体として形成した方がコストなどの点において優れているためである。
以上より、上流側ガイド１３１、裏面凸部１３２−１及び裏面凸部１３２−２は、第１のガイドの一例を成す。また、上流側ガイド１３１、裏面凸部１３２−１、裏面凸部１３２−２及び上流側上部ガイド１５は、シート搬送ガイドの一例を成す。
【００３３】
下流側ガイド１３３は、原稿の搬送をガイドして、裏面読取ガラス１２上を通過した原稿を次の搬送先へ導くために設けられる。次の搬送先は、例えば排紙トレイ１８である。下流側ガイド１３３は、下流側上部ガイド１６と対向する。下流側ガイド１３３は、第３のガイドの一例である。
【００３４】
シェーディングローラー１３４は、図２の紙面に垂直な方向を軸として回転可能に設けられる。シェーディングローラー１３４の表面は、一例として、色補正用の面と、白色の面とを含む。原稿搬送装置１０は、裏面光学ユニット１１の色補正を行う場合、シェーディングローラー１３４を回転させて、シェーディングローラー１３４の色補正用の面が裏面光学ユニット１１と対向する側に向くようにする。そして、原稿搬送装置１０は、裏面光学ユニット１１によって画像の読み取りを行う場合、シェーディングローラー１３４を回転させて、シェーディングローラー１３４の白色の面が裏面光学ユニット１１と対向する側に向くようにする。このようにすることで、裏面光学ユニット１１は、シェーディングローラー１３４の白色の面を、画像読み取りの際の背景に用いることができる。裏面光学ユニット１１が画像の読み取りを行う際、裏面光学ユニット１１に対向する面が有色である場合、原稿から当該色が透けてしまい、画像の読取の邪魔になる可能性がある。裏面光学ユニット１１に対向する面が白色であればこのような問題は起きにくい。
【００３５】
以下、表面搬送ガイド１４について図５及び図６を用いてより詳しく説明する。
図５は、表面搬送ガイド１４及びその周辺を示す側面模式図である。図６は、表面搬送ガイド１４のβ―β断面模式図である。
表面搬送ガイド１４は、表面ガイド１４１、表面凸部１４２−１及び表面凸部１４２−２を含む。
【００３６】
表面ガイド１４１は、表面読取ガラス２２と対向する。表面ガイド１４１は、表面読取ガラス２２と平行な面Ｙを有する。なお、表面搬送ガイドの説明において、面Ｙに平行で搬送方向に垂直な方向を主走査方向とする。なお、搬送方向は、副走査方向に一致する。表面ガイド１４１は、主走査方向に幅Ｗ２の長さを持つ。幅Ｗ２は、幅Ｗ１と同様に一例として２９７ｍｍである。幅Ｗ２が２９７ｍｍ以上であれば、Ａ３までの原稿が搬送路を通過することができる。幅Ｗ２は、対応させたい原稿のサイズに応じた値でよく、２９７ｍｍには限らない。また、原稿のサイズに対してマージンを持たせても良い。表面ガイド１４１と表面読取ガラス２２との対向距離はｄ２２である。
【００３７】
表面凸部１４２−１及び表面凸部１４２−２は、裏面搬送ガイド１３と上流側上部ガイド１５とによって形成される搬送路の間隔が、主走査方向で内側よりも外側の方が狭くなるようにするために設けられる。なお、表面搬送ガイド１４のうち、面Ｙよりも表面読取ガラス２２に近い部分を表面凸部と称するものとする。表面凸部１４２−１及び表面凸部１４２−２は、一例として一例として以下のような形状を有する。
【００３８】
表面凸部１４２−１及び表面凸部１４２−２は、傾斜部１４５−１及び平坦部１４６−１、又は傾斜部１４５−２及び平坦部１４６−２を含む。表面凸部１４２−１及び表面凸部１４２−２は、裏面凸部１３２−１及び裏面凸部１３２−２と同様の形状を有する。平坦部１４６−１及び平坦部１４６−２は、面Ｙからｈ２１の高さを持つ。平坦部１４６−１又は平坦部１４６−２と上流側上部ガイド１５との対向距離はｄ２３である。ｄ２３は、ｄ２２よりもｈ２小さな値である。
【００３９】
表面凸部１４２−１は、主走査方向に幅ｗ２１の長さを持つ。表面凸部１４２−２は、主走査方向に幅ｗ２２の長さを持つ。表面凸部１４２−１と表面凸部１４２−２との間隔はｄ２１である。ｄ２１は、ｄ１と同様に１８２ｍｍ以下であることが好ましく、２１０ｍｍ以下であることがより好ましく、２１０ｍｍであることが最も好ましい。ｗ２１及びｗ２２は、ｗ１及びｗ２と同様に、５７．５ｍｍ以上であることが好ましく、４３．５ｍｍ以上であることがより好ましく、４３．５ｍｍであることが最も好ましい。
以上より、表面搬送ガイド１４は、第１のガイドの一例である。したがって、筐体１９は、第２のガイドの一例である。また、表面搬送ガイド１４及び筐体１９は、シート搬送ガイドの一例を成す。
【００４０】
第１実施形態の画像読取システム１は、搬送路の外側が内側より狭くなっている。これにより、画像読取システム１は、原稿の浮きを抑えて読み取り画像のずれを低減しつつ、外側から内側まで全体を狭くするよりも搬送抵抗の増加を抑えることができる。
【００４１】
また、第１実施形態の画像読取システム１は、裏面読取ガラス１２よりも上流に裏面凸部を有する。裏面凸部が裏面読取ガラス１２よりも上流にあることで、原稿の上側から画像を読み取る場合であっても、原稿が重力に逆らって裏面読取ガラス１２に接しやすく、従来に比べて浮きの発生を抑えることができる。
【００４２】
また、第１実施形態の画像読取システム１によれば、上流側ガイド１３１、裏面凸部１３２−１及び裏面凸部１３２−２と上流側上部ガイド１５とが成す搬送路は、裏面読取ガラス１２に対して斜め向きとなっている。これにより、原稿の上側から画像を読み取る場合であっても、原稿が重力に逆らって裏面読取ガラス１２に接しやすく、従来に比べて浮きの発生を抑えることができる。
【００４３】
また、第１実施形態の画像読取システム１によれば、裏面凸部１３２−１及び裏面凸部１３２−２は、傾斜部１３５−１又は傾斜部１３５−２を有する。裏面凸部１３２−１及び裏面凸部１３２−２は、傾斜部を有さない場合に比べて、原稿が裏面凸部１３２−１又は裏面凸部１３２−２にひっかかりにくくなり、原稿の詰まりなどの発生を抑えることができると考えられる。
【００４４】
〔第２実施形態〕
第２実施形態では、画像読取システムは、第１実施形態の裏面凸部１３２−１及び裏面凸部１３２−２に代えて裏面凸部１３２ｂを含む。その他の部分については第１実施形態と同様で良いので説明を省略する。
第２実施形態に係る裏面凸部１３２ｂについて図７及び図８に基づいて説明する。図７は、第２実施形態に係る裏面搬送ガイドを示す斜視図である。図８は、第２実施形態に係る裏面搬送ガイド及びその周辺を示すα−α断面模式図である。なお、図７は、第１実施形態では図３に相当する図である。また、図８は、第１実施形態では図４に相当する図である。なお、側面図については、第１実施形態と同様の形状を示すので省略する。
【００４５】
裏面凸部１３２ｂは、傾斜部１３５ｂ及び平坦部１３６ｂを含む。傾斜部１３５ｂは、原稿搬送方向の上流側から下流方向に進むにつれ上流側上部ガイド１５と傾斜部１３５ｂとの対向距離が短くなるように形成されている。すなわち、傾斜部１３５ｂは、側面から見た場合に傾斜部１３５−１及び傾斜部１３５−２と同様に、斜面Ｘに対して傾斜を持つ直線となるように形成されている。また、傾斜部１３５ｂは、主走査方向中央から外側（右端及び左端の両端）にかけて、上流側上部ガイド１５と傾斜部１３５ｂとの対向距離が一定の割合で短くなっていくように形成されている。すなわち、傾斜部１３５ｂは、斜面Ｘに対して主走査方向に傾斜を持つ。
平坦部１３６ｂは、傾斜部１３５ｂの原稿搬送方向下流側にある。平坦部１３６ｂは、原稿搬送方向では、上流側上部ガイド１５と平坦部１３６ｂとの対向距離が変わらないように形成されている。しかし、平坦部１３６ｂは、主走査方向中央から外側にかけて、上流側上部ガイド１５と平坦部１３６ｂとの対向距離が一定の割合で短くなっていくように形成されている。すなわち、平坦部１３６ｂは、斜面Ｘに対して主走査方向に傾斜を持つ。平坦部１３６ｂは、図８に示すようにα−α断面がＶ字状となるように形成されている。平坦部１３６ｂの右端及び左端は、斜面Ｘからｈ２の高さを持つ。平坦部１３６ｂの右端及び左端と上流側上部ガイド１５との対向距離はｄ４である。ｄ４は、ｄ２よりもｈ２小さな値である。
【００４６】
第２実施形態の画像読取システムによれば、搬送路は、内側から外側にいくにつれて狭くなる。これにより、画像読取システムは、小さいサイズの原稿でも浮きを抑えることができる。また、画像読取システムは、大きいサイズの原稿ほど浮きを抑えることができる。
【００４７】
以上より、上流側ガイド１３１及び裏面凸部１３２ｂは、第１のガイドの一例を成す。また、上流側ガイド１３１、裏面凸部１３２ｂ及び上流側上部ガイド１５は、シート搬送ガイドの一例を成す。
【００４８】
〔第３実施形態〕
第３実施形態では、画像読取システムは、第２実施形態の裏面凸部１３２ｂに代えて裏面凸部１３２ｃを含む。その他の部分については第２実施形態と同様で良いので説明を省略する。
第３実施形態に係る裏面凸部１３２ｃについて図９及び図１０に基づいて説明する。図９は、第３実施形態に係る裏面搬送ガイドを示す斜視図である。図１０は、第２実施形態に係る裏面搬送ガイド及びその周辺を示すα−α断面模式図である。なお、図９は、第２実施形態では図７に相当する図である。また、図１０は、第２実施形態では図８に相当する図である。なお、側面図については、第１実施形態及び第２実施形態と同様の形状を示すので省略する。
【００４９】
裏面凸部１３２ｃは、傾斜部１３５ｃ及び平坦部１３６ｃを含む。傾斜部１３５ｃは、原稿搬送方向の上流側から下流方向に進むにつれ上流側上部ガイド１５と傾斜部１３５ｃとの対向距離が短くなるように形成されている。また、傾斜部１３５ｃは、主走査方向中央から外側にかけて、上流側上部ガイド１５と傾斜部１３５ｃとの対向距離が短くなっていくように形成されている。すなわち、傾斜部１３５ｃは、側面から見た場合には傾斜部１３５ｂと同様に、斜面Ｘに対して傾斜を持つ直線となるように形成されている。なお、傾斜部１３５ｃは、中央よりも外側にいくほど対向距離が短くなる割合が大きくなるように形成されている。すなわち、傾斜部１３５ｃは、中央よりも外側にいくほど斜面Ｘに対する主走査方向の傾斜がきつくなるように形成されている。
平坦部１３６ｃは、傾斜部１３５ｃの原稿搬送方向下流側にある。平坦部１３６ｃは、原稿搬送方向では、上流側上部ガイド１５と平坦部１３６ｃとの対向距離が変わらないように形成されている。しかし、平坦部１３６ｃは、主走査方向中央から右端又は左端にかけて、上流側上部ガイド１５と平坦部１３６ｃとの対向距離が短くなっていくように形成されている。なお、平坦部１３６ｃは、中央よりも外側にいくほど対向距離が短くなる割合が大きくなるように形成されている。すなわち、平坦部１３６ｃは、中央よりも外側にいくほど斜面Ｘに対する主走査方向の傾斜がきつくなるように形成されている。平坦部１３６ｃは、図８に示すようにα−α断面がＵ字の底部のような曲線形状となるように形成されている。なお、この曲線は、例えば、クロソイド曲線、サイクロイド曲線、円弧、楕円弧、双曲線、放物線若しくは三次放物線など又はこれらの組み合わせなどである。平坦部１３６ｃの右端及び左端は、斜面Ｘからｈ３の高さを持つ。平坦部１３６ｃの右端及び左端と上流側上部ガイド１５との対向距離はｄ４である。ｄ４は、ｄ２よりもｈ３小さな値である。
【００５０】
第３実施形態の画像読取システムによれば、搬送路は、内側から外側にいくにつれて狭くなる。さらに、当該搬送路は、外側へいくほど急激に狭くなる。これにより、画像読取システムは、第２実施形態の場合と比べて搬送抵抗の増大を抑えることができる。
【００５１】
以上より、上流側ガイド１３１及び裏面凸部１３２ｃは、第１のガイドの一例を成す。また、上流側ガイド１３１、裏面凸部１３２ｃ及び上流側上部ガイド１５は、シート搬送ガイドの一例を成す。
【００５２】
上記の実施形態は以下のような変形も可能である。
図１１は、実施形態の変形例に係る裏面搬送ガイド及びその周辺を示すα−α断面模式図である。裏面凸部は、図１１に示すようなα−α断面を有するように形成されていても良い。すなわち、裏面凸部１３２ｄは、主走査方向中央から外側にかけて途中まで、上流側上部ガイド１５と裏面凸部１３２ｄとの対向距離が一定の割合で短くなっていくように形成されている。これにより中央から当該途中までの部分の断面形状はＶ字状となる。この部分の主走査方向の幅は、ｄ６の長さを持つ。そして、裏面凸部１３２ｄは、当該途中から右端又は左端にかけて、上流側上部ガイド１５と裏面凸部１３２ｄとの対向距離が変わらないように形成されている。この部分の主走査方向の幅は、右側と左側とにそれぞれｗ３及びｗ４の長さを持つ。ｄ６は、ｄ１と同様に１８２ｍｍ以下であることが好ましく、２１０ｍｍ以下であることがより好ましく、２１０ｍｍであることが最も好ましい。ｗ３及びｗ４は、ｗ１及びｗ２と同様に、５７．５ｍｍ以上であることが好ましく、４３．５ｍｍ以上であることがより好ましく、４３．５ｍｍであることが最も好ましい。
また、裏面凸部１３２ｄは、主走査方向中央から外側にかけて途中まで、上流側上部ガイド１５と裏面凸部１３２ｄとの対向距離が、外側ほど傾斜がきつくなるように短くなっていくように形成されていても良い。すなわち、中央から当該途中までの部分の断面形状はＵ字の底部のような曲線となる。なお、この曲線は、例えば、クロソイド曲線、サイクロイド曲線、円弧、楕円弧、双曲線、放物線若しくは三次放物線など又はこれらの組み合わせなどである。
上流側ガイド１３１及び裏面凸部１３２ｄは、第１のガイドの一例を成す。また、上流側ガイド１３１、裏面凸部１３２ｄ及び上流側上部ガイド１５は、シート搬送ガイドの一例を成す。
【００５３】
図１２は、実施形態の変形例に係る裏面搬送ガイド１３ｅ及びその周辺を示す側面模式図である。裏面凸部は、図１２に示すように、側面から見たとき、上流側ガイド１３１と傾斜部とが滑らかに接続されるように形成されていても良い。すなわち、一例として裏面凸部１３２ｅは、傾斜部１３５ｅ及び平坦部１３６ｅを含む。傾斜部１３５ｅは、原稿搬送方向の上流側から下流方向に進むにつれ上流側上部ガイド１５と傾斜部１３５ｅとの対向距離が短くなるように形成されている。そして、傾斜部１３５ｅは、図１２に示すように上流側ガイド１３１と傾斜部１３５ｅとを滑らかに繋ぐような曲線形状となるように形成されている。なお、この曲線は、例えば、クロソイド曲線、サイクロイド曲線、円弧、楕円弧、双曲線、放物線若しくは三次放物線など又はこれらの組み合わせなどである。換言すると、傾斜部１３５ｅは、Ｘ斜面に対する搬送方向の傾斜が、搬送方向上流から下流に進むにつれて大きくなる区間を有する。当該区間は、例えば、傾斜部１３５ｅの最下流側を起点とする。以上のように、上流側ガイド１３１と傾斜部１３５ｅとが滑らかに接続されることで、原稿が裏面凸部１３２ｅにひっかかりにくくなり、原稿の詰まりなどの発生を抑えることができると考えられる。
【００５４】
また、裏面凸部は、図１２に示すように側面から見たとき、傾斜部と平坦部が滑らかに接続されるように形成されていても良い。すなわち、一例として傾斜部１３５ｅは、図１２に示すように傾斜部１３５ｅと平坦部１３６ｅとを滑らかに繋ぐような曲線形状となるように形成されている。なお、この曲線は、例えば、クロソイド曲線、サイクロイド曲線、円弧、楕円弧、双曲線、放物線若しくは三次放物線など又はこれらの組み合わせなどである。換言すると、傾斜部１３５ｅは、Ｘ斜面に対する搬送方向の傾斜が、搬送方向下流から上流に進むにつれて大きくなる区間を有する。当該区間は、例えば、傾斜部１３５ｅの最上流側を起点とする。以上のように、傾斜部１３５ｅと平坦部１３６ｅとが滑らかに接続されることで、原稿が裏面凸部１３２ｅにひっかかりにくくなり、原稿の詰まりなどの発生を抑えることができると考えられる。
上流側ガイド１３１及び裏面凸部１３２ｅは、第１のガイドの一例を成す。また、上流側ガイド１３１、裏面凸部１３２ｅ及び上流側上部ガイド１５は、シート搬送ガイドの一例を成す。
【００５５】
図１３は、実施形態の変形例に係る裏面搬送ガイド１３ｆ及びその周辺を示す側面模式図である。裏面凸部は、図１３に示すように平坦部を有さなくても良い。すなわち、一例として裏面凸部１３２ｆは、原稿搬送方向で上流側上部ガイド１５との対向距離が変わる傾斜部１３５ｆを含むが、原稿搬送方向では上流側上部ガイド１５との対向距離が変わらない部分を有さないように形成されている。
【００５６】
図１３に示すように、裏面搬送ガイドは、裏面凸部が裏面読取ガラス１２に対向する部分にも形成されていても良い。すなわち、一例として裏面搬送ガイド１３ｆは、裏面凸部１３２ｆに加えて裏面凸部１３７ｆを含む。裏面凸部１３７ｆは、裏面搬送ガイド１３と裏面読取ガラス１２とによって形成される搬送路の間隔が、主走査方向で内側よりも外側の方が狭くなるようにするために設けられる。
【００５７】
図１３に示すように、裏面搬送ガイドは、下流側ガイド１３３にも上流側ガイド１３１と同様に裏面凸部が形成されていても良い。すなわち、一例として裏面搬送ガイド１３ｆは、裏面凸部１３２ｆに加えて裏面凸部１３８ｆを含む。裏面凸部１３８ｆは、裏面搬送ガイド１３と下流側上部ガイド１６とによって形成される搬送路の間隔が、主走査方向で内側よりも外側の方が狭くなるようにするために設けられる。裏面凸部１３８ｆは、例えば、裏面凸部１３２ｆを反転した形状である。
上流側ガイド１３１及び裏面凸部１３２ｆは、第１のガイドの一例を成す。また、上流側ガイド１３１、裏面凸部１３２ｆ及び上流側上部ガイド１５は、シート搬送ガイドの一例を成す。
【００５８】
図１４は、実施形態の変形例に係る裏面搬送ガイド１３ｇ及びその周辺を示す側面模式図である。裏面凸部は、図１４に示すように傾斜部を有さなくても良い。すなわち、一例として裏面凸部１３２ｆは、原稿搬送方向では上流側上部ガイド１５との対向距離が変わらない平坦部１３６ｇを含むが、原稿搬送方向で上流側上部ガイド１５との対向距離が変わる傾斜部を有さないように形成されている。
【００５９】
図１４に示すように、裏面搬送ガイドは、シェーディングローラー１３４を有さなくても良い。
また、図１４に示すように、裏面搬送ガイドは、上流側ガイド１３１と下流側ガイド１３３とが繋がっていても良い。
ガイド１３１ｇ及び裏面凸部１３２ｇは、第１のガイドの一例を成す。また、ガイド１３１ｇ、裏面凸部１３２ｇ及び上流側上部ガイド１５は、シート搬送ガイドの一例を成す。
【００６０】
上記の実施形態では、裏面搬送ガイドは、原稿の上方から画像を読み取る場合に用いられた。しかしながら、裏面搬送ガイドは、裏面搬送ガイドの向きを変えた状態で用いられることで、原稿の下方から、又は原稿の側方から画像を読み取る場合に用いられても良い。
【００６１】
角度θ１は、０度であっても良い。角度θ２は、０度であっても良い。
【００６２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６３】
１…画像読取システム、１０…原稿搬送装置、１１…裏面光学ユニット、１２…裏面読取ガラス、１３…裏面搬送ガイド、１４…表面搬送ガイド、１５…上流側上部ガイド、１６…下流側上部ガイド、２０…画像読取装置、２１…表面光学ユニット、２２…表面読取ガラス、１３１…上流側ガイド、１３２−１，１３２−２，１３２ｂ，１３２ｃ，１３２ｄ，１３２ｅ，１３２ｆ，１３２ｇ，１３７ｆ，１３８ｆ…裏面凸部、１３３…下流側ガイド、１３５−１，１３５−２，１３５ｂ，１３５ｃ，１３５ｅ，１３５ｆ…傾斜部、１３６−１，１３６−２，１３６ｂ，１３６ｃ，１３６ｄ，１３６ｅ，１３６ｇ…平坦部、１４１…表面ガイド、１４２−１，１４２−２…表面凸部
【図１】
2018127354.tif 000004
【図２】
2018127354.tif 000005
【図３】
2018127354.tif 000006
【図４】
2018127354.tif 000007
【図５】
2018127354.tif 000008
【図６】
2018127354.tif 000009
【図７】
2018127354.tif 000010
【図８】
2018127354.tif 000011
【図９】
2018127354.tif 000012
【図１０】
2018127354.tif 000013
【図１１】
2018127354.tif 000014
【図１２】
2018127354.tif 000015
【図１３】
2018127354.tif 000016
【図１４】
2018127354.tif 000017
【図１５】
2018127354.tif 000018
【図１６】
2018127354.tif 000019
【図１７】
2018127354.tif 000020